(57)【要約】【課題】  安価で小型化及び薄型化に適し放熱部品を効率良く冷却すること。【解決手段】  ブロアファン１９のケーシング１９ａの送風口２９が光ピックアップ７に対向され、そのブロアファン１９の羽根１９ｂ付き回転軸１９ｃがウォ−ムギア機構４を介してローディング用ピニオン５に連動連結されており、プレイモードでスライダ用ラック１２ａをローディング用ピニオン５から離間させ、ブロアファン１９を駆動することにより送風口２９から光ピックアップ７に向けてエアを吹き出し、アンローディング信号に基づいて、クラッチ機構２０によりカムスライダ１２を矢印ｃ方向にスライドさせてスライダ用ラック１２ａをローディング用ピニオン５に噛合させるようにした。【選択図】        図１
2006172560.tif 000002
【特許請求の範囲】
【請求項１】
ディスク載置用トレイを前後進可能に支持するメインシャーシが設けられると共に、該
メインシャーシの前部にローディングモータにより正逆回転されるローディング用ピニオ
ンが配置され、前後進可能な光ピックアップとターンテーブル付きスピンドルモータとを
搭載したドライブシャーシの後部がメインシャーシに上下動可能に枢支されると共に、該
ドライブシャーシの前部を係合させたカムスライダがメインシャーシに前後進方向とは直
交する左右方向にスライド可能に配置されており、前記カムスライダの一端部に形成した
スライダ用ラックをローディング用ピニオンに噛合させローディングモータを駆動停止さ
せた状態でプレイモードにすることにより、スピンドルモータを駆動してターンテーブル
を介してディスクを高速回転させると共に、光ピックアップを前後進させてディスクに記
録されている情報を読み取るようにしたディスク装置において、前記ローディングモータ
に代えてブロアファンが用いられ、該ブロアファンのケーシングの送風口が前記光ピック
アップに対向され、そのブロアファンの羽根付き回転軸が前記ローディング用ピニオンに
連動連結され、ドライブシャーシの前部に左右方向に移動可能に配置されたプレートトリ
ガーと、該プレートトリガーの前面に突設されてカムスライダに係合するトリガーピンと
、そのプレートトリガーの下面に形成したガイド溝に対向して光ピックアップに設けたガ
イドピンとを有するクラッチ機構が設けられており、プレイモードでスライダ用ラックを
ローディング用ピニオンから離間させ、ブロアファンを駆動することにより送風口から光
ピックアップに向けてエアを吹き出し、アンローディング信号に基づいて、光ピックアッ
プを最前進させてガイドピンをガイド溝内に進入させ、該ガイドピンをガイド溝の傾斜面
に押し付けることにより、カムスライダを左右一方向にスライドさせてスライダ用ラック
をローディング用ピニオンに噛合させるようにしたことを特徴とするディスク装置。
【請求項２】
ディスク載置用トレイを前後進可能に支持するメインシャーシが設けられると共に、該
メインシャーシの前部にローディング用ピニオンが配置され、前後進可能な光ピックアッ
プとターンテーブル付きスピンドルモータとを搭載したドライブシャーシの後部がメイン
シャーシに上下動可能に枢支されると共に、該ドライブシャーシの前部を係合させたカム
スライダがメインシャーシに前後進方向とは直交する左右方向にスライド可能に配置され
、ローディング用ピニオンに対向してカムスライダの一端部にスライダ用ラックが形成さ
れており、プレイモードでスピンドルモータを駆動してターンテーブルを介してディスク
を高速回転させると共に、光ピックアップを前後進させてディスクに記録されている情報
を読み取るようにしたディスク装置において、前記光ピックアップにケーシングの送風口
を対向させたブロアファンが設けられ、該ブロアファンの羽根付き回転軸が前記ローディ
ング用ピニオンに連動連結されており、プレイモードでスライダ用ラックをローディング
用ピニオンから離間させ、ブロアファンを駆動することにより送風口から光ピックアップ
に向けてエアを吹き出し、アンローディング信号に基づいて、クラッチ機構によりカムス
ライダを左右一方向にスライドさせてスライダ用ラックをローディング用ピニオンに噛合
させるようにしたことを特徴とするディスク装置。
【請求項３】
前記クラッチ機構が、ドライブシャーシの前部に左右方向に移動可能に配置されたプレ
ートトリガーと、該プレートトリガーの前面に突設されてカムスライダに係合するトリガ
ーピンと、そのプレートトリガーの下面に形成したガイド溝に対向して光ピックアップに
設けたガイドピンとを有しており、アンローディング信号に基づいて、光ピックアップを
最前進させてガイドピンをガイド溝内に進入させ、該ガイドピンをガイド溝の傾斜面に押
し付けることにより、カムスライダを左右一方向にスライドさせてスライダ用ラックをロ
ーディング用ピニオンに噛合させるようにしたことを特徴とする請求項２に記載のディス
ク装置。
【発明の詳細な説明】
【技術分野】
【０００１】
本発明は、例えばＤＶＤなどのディスクの再生や記録または消去するためのディスク装
置に関し、特に、安価で小型化及び薄型化に適し放熱部品を効率よく冷却することができ
るようにしたものである。
【背景技術】
【０００２】
従来、ディスク装置の技術として特許文献１などに記載したものがあり、その一例を図
８に基づいて説明すると、ディスクＤ載置用トレイ１を前後進ａ，ｂ可能に支持するメイ
ンシャーシ２が設けられると共に、該メインシャーシ２の前部にローディングモータ３に
よりウォ−ムギア機構４を介して正逆回転されるローディング用ピニオン５が配置され、
ガイドレール６に沿って前後進ａ，ｂ可能な光ピックアップ７とターンテーブル８付きス
ピンドルモータ９とを搭載したドライブシャーシ１０の後部がメインシャーシ２に上下動
可能に枢支されると共に、該ドライブシャーシ１０の前部をカムピン１１を介して係合さ
せたカムスライダ１２がメインシャーシ２に前後進ａ，ｂ方向とは直交する左右方向ｃ，
ｄにスライド可能に配置されている。
【０００３】
動作を説明すると、図８（ａ）に示すプレイモードでは、カムスライダ１２の一端部に
形成したスライダ用ラック１２ａをローディング用ピニオン５に噛合させ、ローディング
モータ３を駆動停止させており、この状態で、スピンドルモータ９を駆動してターンテー
ブル８を介してディスクＤを高速回転させると共に、フィードピニオン１３を正逆回転さ
せることにより、ピックアップ用ラック１４を介して光ピックアップ７を前後進ａ，ｂさ
せ、ディスクＤに記録されている情報を読み取り、再生や記録または消去の動作を行う。
【０００４】
アンローディング信号が入力されると、ローディングモータ３を駆動し、ローディング
用ピニオン５及びスライダ用ラック１２ａを介してカムスライダ１２を矢印ｃ方向にスラ
イドさせ、カムピン１１を介してドライブシャーシ１０を下動させることにより、ターン
テーブル８をトレイ１よりも下げ、該ターンテーブル８上のディスクＤをトレイ１に受け
渡す。
【０００５】
次に、スライダ用ラック１２ａがローディング用ピニオン５から離間すると、それとほ
ぼ同時に、カムスライダ１２に突設した突起１５をトレイ１の下面に形成したトレイ溝１
６の傾斜面１６ａに押し付けることにより、該トレイ１を若干前進ａさせて、そのトレイ
１の下面に形成したトレイ用ラック１７をローディング用ピニオン５に噛合させる。続い
て、図８（ｂ）に示すように、ローディングモータ３の駆動によりローディング用ピニオ
ン５及びトレイ用ラック１７を介してトレイ１を前進ａさせ、該トレイ１上からディスク
Ｄを取り外し、新たなディスクＤをトレイ１上に載置する。
【０００６】
その後、ローディング信号が入力されると、ローディングモータ３を逆転駆動すること
により、上記とは逆の動作が行われ、トレイ１を後進ｂさせてメインシャーシ２内に戻す
〔図８（ａ）参照〕。
【０００７】
上記構成によれば、プレイモードで、光ピックアップ７のレーザダイオードなどの放熱
部品からの放熱によりメインシャーシ２内が高熱状態となり、特に近年では、ディスク装
置の小型化及び薄型化によりメインシャーシ２内が一層高熱状態となって、ＩＣチップな
どの電子部品が熱破壊されるおそれがある。
【０００８】
そこで、メインシャーシ２内に冷却ファンを配置してレーザダイオードなどの放熱部品
を冷却することが行われている。
【特許文献１】特開２００３−１０９３７０号公報
【発明の開示】
【発明が解決しようとする課題】
【０００９】
上記従来の構成では、冷却ファンを設けることにより、部品点数が増えてコストアップ
になると共に、メインシャーシ２内に冷却ファンを設けるための空間を確保する必要があ
り、近年のディスク装置の小型化及び薄型化を図るという技術思想に反する。
【００１０】
そこで、プレイモードで停止状態であるローディングモータ３を利用してファンを駆動
することが考えられるが、そのローディングモータ３にウォ−ムギア機構４を介して連結
したローディング用ピニオン５がスライダ用ラック１２ａに噛合されているため、このま
までは、ローディングモータ３の駆動が阻害される。
【００１１】
本発明は、上記従来の欠点に鑑み、安価で小型化及び薄型化に適し放熱部品を効率良く
冷却することができるようにしたディスク装置を提供することを目的としている。
【課題を解決するための手段】
【００１２】
上記目的を達成するため、請求項１に記載の発明は、ディスク載置用トレイを前後進可
能に支持するメインシャーシが設けられると共に、該メインシャーシの前部にローディン
グモータにより正逆回転されるローディング用ピニオンが配置され、前後進可能な光ピッ
クアップとターンテーブル付きスピンドルモータとを搭載したドライブシャーシの後部が
メインシャーシに上下動可能に枢支されると共に、該ドライブシャーシの前部を係合させ
たカムスライダがメインシャーシに前後進方向とは直交する左右方向にスライド可能に配
置されており、前記カムスライダの一端部に形成したスライダ用ラックをローディング用
ピニオンに噛合させローディングモータを駆動停止させた状態でプレイモードにすること
により、スピンドルモータを駆動してターンテーブルを介してディスクを高速回転させる
と共に、光ピックアップを前後進させてディスクに記録されている情報を読み取るように
したディスク装置において、前記ローディングモータに代えてブロアファンが用いられ、
該ブロアファンのケーシングの送風口が前記光ピックアップに対向され、そのブロアファ
ンの羽根付き回転軸が前記ローディング用ピニオンに連動連結され、ドライブシャーシの
前部に左右方向に移動可能に配置されたプレートトリガーと、該プレートトリガーの前面
に突設されてカムスライダに係合するトリガーピンと、そのプレートトリガーの下面に形
成したガイド溝に対向して光ピックアップに設けたガイドピンとを有するクラッチ機構が
設けられており、プレイモードでスライダ用ラックをローディング用ピニオンから離間さ
せ、ブロアファンを駆動することにより送風口から光ピックアップに向けてエアを吹き出
し、アンローディング信号に基づいて、光ピックアップを最前進させてガイドピンをガイ
ド溝内に進入させ、該ガイドピンをガイド溝の傾斜面に押し付けることにより、カムスラ
イダを左右一方向にスライドさせてスライダ用ラックをローディング用ピニオンに噛合さ
せるようにしたことを特徴としている。
【００１３】
請求項２に記載の発明は、ディスク載置用トレイを前後進可能に支持するメインシャー
シが設けられると共に、該メインシャーシの前部にローディング用ピニオンが配置され、
前後進可能な光ピックアップとターンテーブル付きスピンドルモータとを搭載したドライ
ブシャーシの後部がメインシャーシに上下動可能に枢支されると共に、該ドライブシャー
シの前部を係合させたカムスライダがメインシャーシに前後進方向とは直交する左右方向
にスライド可能に配置され、ローディング用ピニオンに対向してカムスライダの一端部に
スライダ用ラックが形成されており、プレイモードでスピンドルモータを駆動してターン
テーブルを介してディスクを高速回転させると共に、光ピックアップを前後進させてディ
スクに記録されている情報を読み取るようにしたディスク装置において、前記光ピックア
ップにケーシングの送風口を対向させたブロアファンが設けられ、該ブロアファンの羽根
付き回転軸が前記ローディング用ピニオンに連動連結されており、プレイモードでスライ
ダ用ラックをローディング用ピニオンから離間させ、ブロアファンを駆動することにより
送風口から光ピックアップに向けてエアを吹き出し、アンローディング信号に基づいて、
クラッチ機構によりカムスライダを左右一方向にスライドさせてスライダ用ラックをロー
ディング用ピニオンに噛合させるようにしたことを特徴としている。
【００１４】
請求項３に記載の発明は、前記クラッチ機構が、ドライブシャーシの前部に左右方向に
移動可能に配置されたプレートトリガーと、該プレートトリガーの前面に突設されてカム
スライダに係合するトリガーピンと、そのプレートトリガーの下面に形成したガイド溝に
対向して光ピックアップに設けたガイドピンとを有しており、アンローディング信号に基
づいて、光ピックアップを最前進させてガイドピンをガイド溝内に進入させ、該ガイドピ
ンをガイド溝の傾斜面に押し付けることにより、カムスライダを左右一方向にスライドさ
せてスライダ用ラックをローディング用ピニオンに噛合させるようにしたことを特徴とし
ている。
【発明の効果】
【００１５】
請求項１に記載の発明は実施の一形態（図１〜図７参照）に対応するものであって、こ
れによれば、プレイモードでスライダ用ラックをローディング用ピニオンから離間させて
いるので、ブロアファンを駆動させても、その駆動が阻害されることがなく、ブロアファ
ンのケーシングの送風口から光ピックアップに向けてエアを吹き出し、レーザダイオード
などの放熱部品を効率良く冷却することができる。
【００１６】
また、ブロアファンがローディングモータを兼ねているので、従来の冷却ファンを用い
る場合に比べて、構造が簡単で部品点数が増加せず、大幅なコストダウンを図ることがで
き、ディスク装置の小型化及び薄型化に適する。
【００１７】
更に、アンローディング信号に基づいて、クラッチ機構によりカムスライダを左右一方
向にスライドさせるだけで、スライダ用ラックをローディング用ピニオンに噛合させて、
所定の動作状態に戻すことができる。
【００１８】
前記クラッチ機構が、プレートトリガーとトリガーピンとガイドピンとを有し、嵩張ら
ないから、ドライブシャーシ上にコンパクトに組み込むことができ、また、そのクラッチ
機構がアンローディング信号に基づいて最前進する光ピックアップの動作を利用して駆動
されるようになっており、特別の駆動源を必要としないから、経済的である。
【００１９】
請求項２に記載の発明は基本形態に対応するものであって、これによれば、プレイモー
ドでスライダ用ラックをローディング用ピニオンから離間させているので、ブロアファン
を駆動させても、その駆動が阻害されることがなく、ブロアファンのケーシングの送風口
から光ピックアップに向けてエアを吹き出し、レーザダイオードなどの放熱部品を効率良
く冷却することができる。
【００２０】
また、ブロアファンがローディングモータを兼ねているので、従来の冷却ファンを用い
る場合に比べて、構造が簡単で部品点数が増加せず、大幅なコストダウンを図ることがで
き、ディスク装置の小型化及び薄型化に適する。
【００２１】
更に、アンローディング信号に基づいて、クラッチ機構によりカムスライダを左右一方
向にスライドさせるだけで、スライダ用ラックをローディング用ピニオンに噛合させて、
所定の動作状態に戻すことができる。
【００２２】
請求項３に記載の発明によれば、クラッチ機構が、プレートトリガーとトリガーピンと
ガイドピンとを有し、嵩張らないから、ドライブシャーシ上にコンパクトに組み込むこと
ができ、また、そのクラッチ機構がアンローディング信号に基づいて最前進する光ピック
アップの動作を利用して駆動されるようになっており、特別の駆動源を必要としないから
、経済的である。
【発明を実施するための最良の形態】
【００２３】
図１〜図５は本発明の実施の一形態であるディスク装置を示すものであって、ローディ
ングモータ３の代わりにブロアファン１９が用いられ、カムスライダ１２を左右方向ｃ，
ｄにわずかにスライドさせるためのクラッチ機構２０がドライブシャーシ１０上に配置さ
れている。
【００２４】
図１中、２１はギア機構２２を介してフィードピニオン１３を正逆回転させるためのフ
ィードモータである。また、ピックアップ用ラック１４が互いに一定範囲内前後進ａ，ｂ
可能に連結された上下２つのラック部材１４ａ，１４ｂからなり、その下側ラック部材１
４ａが光ピックアップ７に固着され、上側ラック部材１４ｂが下側ラック部材１４ａより
もさらに前進ａされる。更に、２３ａはドライブシャーシ１０の後部をメインシャーシ２
に上下動ｅ，ｆ可能に枢支する２つのゴム製後側弾性体（図４参照）、２３ｂはドライブ
シャーシ１０の前部を昇降ｇ，ｈ可能な昇降体２４に連結する２つのゴム製前側弾性体で
あって、その昇降体２４の前面にカムピン１１が突設されている（図４参照）。
【００２５】
図４中、２６はターンテーブル８に対向してメインシャーシ２上の天板部２ａに一定範
囲内昇降可能に配置した磁石付きディスクホルダである。図５に示すように、カムスライ
ダ１２の垂直板部１２ｂに形成した左右一対のカム溝２７に各カムピン１１が嵌入されて
おり、カムスライダ１２を矢印ｄ方向にスライドさせ、各カム溝２７の上段部２７ａを各
カムピン１１に係合させることにより、昇降体２４を上昇ｇさせ、そのカムスライダ１２
を矢印ｃ方向にスライドさせ、各カム溝２７の下段部２７ｂを各カムピン１１に係合させ
ることにより、昇降体２４を下降ｈさせる。上記以外の構成で図８に示す構成とほぼ同一
部分に同一符号を付してその説明を省略する。
【００２６】
前記ブロアファン１９は、図１〜図３に示すように、メインシャーシ２に固定したケー
シング１９ａと、該ケーシング１９ａ内に回転可能に配置した羽根１９ｂ付き回転軸１９
ｃとからなり、ケーシング１９ａの送風口２９が光ピックアップ７に対向され、回転軸１
９ｃがウォ−ムギア機構４のウォ−ムギア４ａに連結されている。なお、３０はケーシン
グ１９ａに貫設した通風口である。
【００２７】
前記クラッチ機構２０は、図１、図４及び図５に示すように、ドライブシャーシ１０の
前部に左右方向ｃ，ｄに一定範囲内移動可能に配置されたプレートトリガー３２と、該プ
レートトリガー３２の前面に突設されてカムスライダ１２の垂直板部１２ｂに形成したト
リガー溝３３に嵌入するトリガーピン３４と、そのプレートトリガー３２の下面に形成し
たガイド溝３５に対向して上側ラック部材１４ｂの先端に設けたガイドピン３６とを有し
ている。
【００２８】
動作を説明すると、図１及び図２に示すプレイモードでは、スピンドルモータ９を駆動
してターンテーブル８を介してディスクＤを高速回転させると共に、フィードピニオン１
３を正逆回転させることにより、ピックアップ用ラック１４を介して光ピックアップ７を
前後進ａ，ｂさせ、ディスクＤに記録されている情報を読み取り、再生や記録または消去
の動作を行う。それと同時に、ブロアファン１９を駆動することにより送風口２９から光
ピックアップ７に向けてエアを吹き出す。
【００２９】
この場合、スライダ用ラック１２ａをローディング用ピニオン５から離間させているの
で、ブロアファン１９を駆動させても、その駆動が阻害されることがなく、送風口２９か
ら光ピックアップ７に向けてエアを吹き出し、レーザダイオードなどの放熱部品を効率良
く冷却することができる。
【００３０】
また、ブロアファン１９がローディングモータ３（図３参照）を兼ねているので、従来
の冷却ファンを用いる場合に比べて、構造が簡単で部品点数が増加せず、大幅なコストダ
ウンを図ることができ、ディスク装置の小型化及び薄型化に適する。
【００３１】
アンローディング信号が入力されると、図６（ａ）に示すように、光ピックアップ７を
最前進ａせてガイドピン３６をガイド溝３５内に進入させ、該ガイドピン３６をガイド溝
３５の傾斜面３５ａに押し付けることにより、プレートトリガー３２及びトリガーピン３
４を介してカムスライダ１２矢印ｃ方向にスライドさせてスライダ用ラック１２ａをロー
ディング用ピニオン５に噛合させる。
【００３２】
次に、ブロアファン１９を駆動し、ウォ−ムギア機構４を介してローディング用ピニオ
ン５及びスライダ用ラック１２ａを介してカムスライダ１２を矢印ｃ方向にスライドさせ
、カム溝２７によりカムピン１１及び昇降体２４を介してドライブシャーシ１０を下動ｆ
させることにより、ターンテーブル８をトレイ１よりも下げ、該ターンテーブル８上のデ
ィスクＤをトレイ１に受け渡す（図４仮想線参照）。
【００３３】
上記構成によれば、クラッチ機構２０が、プレートトリガー３２とトリガーピン３４と
ガイドピン３６とを有し、嵩張らないから、ドライブシャーシ１０上にコンパクトに組み
込むことができ、また、そのクラッチ機構２０がアンローディング信号に基づいて最前進
ａする光ピックアップ７の動作を利用して駆動されるようになっており、特別の駆動源を
必要としないから、経済的である。
【００３４】
次に、図６（ｂ）に示すように、スライダ用ラック１２ａがローディング用ピニオン５
から離間すると、それとほぼ同時に、カムスライダ１２に突設した突起１５をトレイ１の
下面に形成したトレイ溝１６の傾斜面１６ａに押し付けることにより、該トレイ１を若干
前進ａさせて、そのトレイ１の下面に形成したトレイ用ラック１７をローディング用ピニ
オン５に噛合させる。
【００３５】
続いて、図７に示すように、ブロアファン１９の駆動によりローディング用ピニオン５
及びトレイ用ラック１７を介してトレイ１を前進ａさせ、該トレイ１上からディスクＤを
取り外し、新たなディスクＤをトレイ１上に載置する。
【００３６】
その後、ローディング信号が入力されると、ブロアファン１９を逆転駆動することによ
り、上記とは逆の動作が行われ、トレイ１を後進ｂさせてメインシャーシ２内に戻す〔図
１参照〕。
【図面の簡単な説明】
【００３７】
【図１】本発明の実施の一形態であるディスク装置を示す平面図である。
【図２】同ブロアファン付近の縦断面図である。
【図３】同ブロアファンの正面図である。
【図４】同中央部の縦断面図である。
【図５】同要部の分解斜視図である。
【図６】（ａ）は動作手順の前段を示す概略平面図、（ｂ）は同動作手順の中段を示す概略平面図である。
【図７】同動作手順の後段を示す概略平面図である。
【図８】（ａ）は従来例の動作手順の前段を示す概略平面図、（ｂ）は同動作手順の後段を示す概略平面図である。
【符号の説明】
【００３８】
１        トレイ
２        メインシャーシ
３        ローディングモータ
５        ローディング用ピニオン
７        光ピックアップ
８        ターンテーブル
９        スピンドルモータ
１０      ドライブシャーシ
１１      カムピン
１２      カムスライダ
１２ａ    スライダ用ラック
１９      ブロアファン
１９ａ    ケーシング
１９ｂ    羽根
１９ｃ    回転軸
２０      クラッチ機構
２９      送風口
３２      プレートトリガー
３３      トリガー溝
３４      トリガーピン
３５      ガイド溝
３５ａ    ガイド溝の傾斜面
３６      ガイドピン
Ｄ        ディスク
ａ，ｂ    前後進
ｃ，ｄ    左右方向
ｅ，ｆ    上下動
【図１】
2006172560.tif 000003
【図２】
2006172560.tif 000004
【図３】
2006172560.tif 000005
【図４】
2006172560.tif 000006
【図５】
2006172560.tif 000007
【図６】
2006172560.tif 000008
【図７】
2006172560.tif 000009
【図８】
2006172560.tif 000010